(57)【要約】【課題】  木質バイオマス（例えば、伐採材、さとうきびかす、オイルパーム、もみがら、など）と石炭とを混合させた石炭・木質バイオマス混合燃料を燃料に使用するにあたって、遠隔地への輸送コストの問題や、安定的かつ低価格での供給等々の問題、特別な設備を発電所に新たに設けなければならないためにコスト上不利になるという問題、木質バイオマスと石炭とをブレンドするたびごとにサンプリング試験を行ってボイラーで燃焼させるのに適しているかどうか確認しなければならないという問題を解決できる石炭・木質バイオマス混合燃料の収集・販売システム及び方法を提案する。【解決手段】  石炭・木質バイオマス混合燃料を販売する燃料収集・販売会社が、木質バイオマスと石炭とを燃料利用者が要求する条件（木質バイオマスの種類、石炭と木質バイオマスとの混合割合、燃焼カロリーなど）に応じてブレンドした石炭・木質バイオマス混合燃料を販売できるようにして前記課題を解決した。【選択図】  図１
2007058440.tif 000002
【特許請求の範囲】
【請求項１】
情報取得部で取得した石炭・バイオマス混合燃料購入計画情報を登録する購入計画情報登録手段と、
前記石炭・バイオマス混合燃料購入計画情報に含まれている購入希望バイオマスの種類、購入希望量、購入希望時期と、現在の在庫データとを比較し、在庫量が不足する場合に、必要なバイオマスの種類と、必要な量及び、必要な時期を導き出す在庫確認手段と、
前記必要なバイオマスの種類と、必要な量及び、必要な時期を、購入予定バイオマスの種類と、その購入予定量及び購入予定時期に関する購入予定情報として出力し、当該購入予定情報に応じる販売予定価格を含む販売申し込み情報の入力を促す購入予定情報出力手段と、
情報取得部で取得した前記購入予定情報に応じる販売予定価格を含む販売申し込み情報を登録する販売申し込み情報登録手段と、
前記で登録された複数の販売予定価格を比較する販売予定各価格比較手段と
を備えてなる石炭・バイオマス混合燃料収集・販売システム。
【請求項２】
少なくとも一つ以上の燃料利用者端末から石炭・バイオマス混合燃料購入計画情報を受付け、
当該受け付けた石炭・バイオマス混合燃料購入計画情報に含まれている購入希望バイオマスの種類、購入希望量、購入希望時期と、現在の在庫データとを比較し、在庫量が不足する場合に、必要なバイオマスの種類と、必要な量及び、必要な時期を導き出し、
当該導き出された必要なバイオマスの種類と、必要な量及び、必要な時期を、購入予定バイオマスの種類と、その購入予定量及び購入予定時期に関する購入予定情報として出力すると共に、当該購入予定情報に応じる販売予定価格を含む販売申し込み情報の入力を促し、
前記購入予定情報に応じる販売予定価格を含む少なくとも一つ以上の販売申し込み情報を受付け、
当該受け付けた少なくとも一つ以上の販売申し込み情報に含まれている販売予定価格を比較してもっとも低い販売予定価格を検索する、
ことを特徴とする石炭・バイオマス混合燃料収集・販売方法。
【発明の詳細な説明】
【技術分野】
【０００１】
この発明は、石炭・木質バイオマス混合燃料を販売するシステム及び方法に関し、特に、石炭・木質バイオマス混合燃料をブレンドした状態で当該燃料を使用する発電事業者等の燃料利用者に販売することに適した石炭・木質バイオマス混合燃料の収集・販売システム及び方法に関する。
【背景技術】
【０００２】
地球温暖化防止条約や「ＲＰＳ（Renewables Portfolio Standard）再生可能エネルギー導入基準」制度を法律化した「電気事業者による新エネルギー等の利用に関する特別措置法（ＲＰＳ法）」の施行などにより、再生可能エネルギーとして木質バイオマス（例えば、伐採材、さとうきびかす、オイルパーム、もみがら、など）を発電用燃料として利用することが注目されている。
【０００３】
この木質バイオマスを利用した発電方法としては、既設石炭火力発電所において石炭に木質バイオマスを混合した石炭・木質バイオマス混合燃料を発電燃料に使用するものがある。
【０００４】
しかし、例えば、伐採材を木質バイオマスとして使用する場合には、間伐時期等により供給量が不安定になるといった問題や、遠隔地にある発電所へ木質バイオマスを供給する場合には輸送コストが嵩む等々の問題があり、木質バイオマスを発電用燃料として安定的かつ低価格で供給する上では種々の問題が存在している。
【０００５】
このような問題に応えることを目指して、木質バイオマスを発電用燃料として安定的かつ低価格で供給する市場を管理するシステム及び方法に関する提案も行われている（例えば、特許文献１）。
【特許文献１】特開２００３−３１６９６３
【発明の開示】
【発明が解決しようとする課題】
【０００６】
木質バイオマスを石炭と混合して発電用燃料とする場合、従来は、木質バイオマスを破砕する設備や、木質バイオマスと石炭とを混合する設備を発電所に設けるようにしていた。このため、敷地、設備が必要で、結果として発電コストの上昇を招くものとなっていた。
【０００７】
また、従来、木質バイオマスを石炭と混合して発電用燃料とする場合には、火力発電所などに設けられている施設において間伐材などを粉砕し、石炭とブレンドした後、サンプリングして、実際にその発電所のボイラーで燃焼させるのに適しているかどうかを確認してから使用するのが一般的であった。すなわち、発電所において木質バイオマスと石炭とをブレンドするたびごとに、サンプリング試験が必要であった。
【０００８】
そこで、前述した遠隔地への輸送コストの問題や、安定的かつ低価格での供給等々の問題に加えて、このように特別な設備を発電所に新たに設けなければならないために発電コストに不利になるという問題や、発電所において木質バイオマスと石炭とをブレンドするたびごとにサンプリング試験を行って当該発電所のボイラーで燃焼させるのに適しているかどうか確認しなければならないという問題を解決する提案が要求されるところである。
【０００９】
本発明は、再生可能エネルギーとして利用することが注目されている木質バイオマス（例えば、伐採材、さとうきびかす、オイルパーム、もみがら、など）の利用を促進すべく、前記木質バイオマスと石炭とを混合させた石炭・木質バイオマス混合燃料を発電燃料に使用するにあたって、遠隔地への輸送コストの問題や、安定的かつ低価格での供給等々の問題、特別な設備を発電所に新たに設けなければならないために発電コスト上不利になるという問題、発電所において木質バイオマスと石炭とをブレンドするたびごとにサンプリング試験を行って当該発電所のボイラーで燃焼させるのに適しているかどうか確認しなければならないという問題を解決できる石炭・木質バイオマス混合燃料の収集・販売システム及び方法を提案することを目的にしている。
【課題を解決するための手段】
【００１０】
本発明は、石炭・木質バイオマス混合燃料を販売する燃料収集・販売会社が、木質バイオマスと石炭とを燃料利用者が要求する条件（木質バイオマスの種類、石炭と木質バイオマスとの混合割合、燃焼カロリーなど）に応じてブレンドした石炭・木質バイオマス混合燃料を販売できるようにして前記課題を解決したのである。
【００１１】
すなわち、この発明が提案する石炭・木質バイオマス混合燃料の収集・販売システムは、情報取得部で取得した石炭・バイオマス混合燃料購入計画情報を登録する購入計画情報登録手段と、前記石炭・バイオマス混合燃料購入計画情報に含まれている購入希望バイオマスの種類、購入希望量、購入希望時期と、現在の在庫データとを比較し、在庫量が不足する場合に、必要なバイオマスの種類と、必要な量及び、必要な時期を導き出す在庫確認手段と、前記必要なバイオマスの種類と、必要な量及び、必要な時期を、購入予定バイオマスの種類と、その購入予定量及び購入予定時期に関する購入予定情報として出力し、当該購入予定情報に応じる販売予定価格を含む販売申し込み情報の入力を促す購入予定情報出力手段と、情報取得部で取得した前記購入予定情報に応じる販売予定価格を含む販売申し込み情報を登録する販売申し込み情報登録手段と、前記で登録された複数の販売予定価格を比較する販売予定各価格比較手段とを備えてなるものである。
【００１２】
また、この発明が提案する石炭・バイオマス混合燃料収集・販売方法は、少なくとも一つ以上の燃料利用者端末から石炭・バイオマス混合燃料購入計画情報を受付け、当該受け付けた石炭・バイオマス混合燃料購入計画情報に含まれている購入希望バイオマスの種類、購入希望量、購入希望時期と、現在の在庫データとを比較し、在庫量が不足する場合に、必要なバイオマスの種類と、必要な量及び、必要な時期を導き出し、当該導き出された必要なバイオマスの種類と、必要な量及び、必要な時期を、購入予定バイオマスの種類と、その購入予定量及び購入予定時期に関する購入予定情報として出力すると共に、当該購入予定情報に応じる販売予定価格を含む販売申し込み情報の入力を促し、前記購入予定情報に応じる販売予定価格を含む少なくとも一つ以上の販売申し込み情報を受付け、当該受け付けた少なくとも一つ以上の販売申し込み情報に含まれている販売予定価格を比較してもっとも低い販売予定価格を検索するものである。
【発明の効果】
【００１３】
本発明によれば、石炭・木質バイオマス混合燃料を販売する燃料収集・販売会社が、木質バイオマスと石炭とを燃料利用者が要求する条件（木質バイオマスの種類、石炭と木質バイオマスとの混合割合、燃焼カロリーなど）に応じてブレンドした石炭・木質バイオマス混合燃料を販売することが可能であり、石炭・木質バイオマス混合燃料を発電燃料に使用するにあたって、遠隔地への輸送コストの問題や、安定的かつ低価格での供給等々の問題、特別な設備を発電所に新たに設けなければならないために発電コスト上不利になるという問題、発電所において木質バイオマスと石炭とをブレンドするたびごとにサンプリング試験を行って当該発電所のボイラーで燃焼させるのに適しているかどうか確認しなければならないという問題を解決することができる。
【００１４】
すなわち、本発明の石炭・バイオマス混合燃料収集・販売システム、方法を利用して石炭・バイオマス混合燃料を購入する燃料利用会社は、石炭・バイオマス混合燃料を使用する発電所などに石炭と木質バイオマスとをブレンドするための特別な敷地、設備などを準備する必要がなくなり、また、木質バイオマスの種類、石炭と木質バイオマスとの混合割合、燃焼カロリーなどが明らかになっている石炭・バイオマス混合燃料を購入できるので、サンプリング試験が不要になり、従来より低コストで、また容易に石炭・バイオマス混合燃料を使用することができる。
【００１５】
一方、本発明の石炭・バイオマス混合燃料収集・販売システムを提供する燃料収集・販売会社は、石炭と木質バイオマスとのブレンドを一箇所で行うことができ、これによって、石炭も、間伐材などの原料も大量に収集しやすくなり、コスト削減を図り、効率よく、燃料利用会社の要求に応えるスペックの石炭・バイオマス混合燃料を安定的に提供することが可能になる。
【発明を実施するための最良の形態】
【００１６】
この発明が提案する石炭・バイオマス混合燃料収集・販売システムは、以下に説明する処理動作を行う購入計画情報登録手段と、在庫確認手段と、購入予定情報出力手段と、販売申し込み情報登録手段と、販売予定各価格比較手段とを備えているものである。
【００１７】
ここで、購入計画情報登録手段は、情報取得部で取得した石炭・バイオマス混合燃料購入計画情報を登録する処理を行うコンピュータの処理動作部である。
【００１８】
在庫確認手段は、前記石炭・バイオマス混合燃料購入計画情報に含まれている購入希望バイオマスの種類、購入希望量、購入希望時期と、現在の在庫データとを比較し、在庫量が不足する場合に、必要なバイオマスの種類と、必要な量及び、必要な時期を導き出す処理を行うコンピュータの処理動作部である。
【００１９】
購入予定情報出力手段は、前記必要なバイオマスの種類と、必要な量及び、必要な時期を、購入予定バイオマスの種類と、その購入予定量及び購入予定時期に関する購入予定情報として出力し、当該購入予定情報に応じる販売予定価格を含む販売申し込み情報の入力を促す処理を行うコンピュータの処理動作部である。
【００２０】
販売申し込み情報登録手段は、情報取得部で取得した前記購入予定情報に応じる販売予定価格を含む販売申し込み情報を登録する処理を行うコンピュータの処理動作部である。
【００２１】
販売予定各価格比較手段は、前記で登録された複数の販売予定価格を比較する処理を行うコンピュータの処理動作部である。
【００２２】
コンピュータからなる本発明の石炭・バイオマス混合燃料収集・販売システムは、木質バイオマスと石炭とを燃料利用者が要求する条件（木質バイオマスの種類、石炭と木質バイオマスとの混合割合、燃焼カロリーなど）に応じてブレンドした石炭・木質バイオマス混合燃料を販売する燃料収集・販売会社の下に配備され、これが、石炭供給会社に備えられている端末（例えば、コンピュータ）、火力発電所などを有する複数の燃料利用会社に備えられている端末（例えば、コンピュータ）、複数のバイオマス石炭供給会社に備えられている端末（例えば、コンピュータ）とインターネット等のネットワークを介して相互に交信可能に接続されて使用される。
【００２３】
そして、燃料収集・販売会社の下に配備されているコンピュータからなる本発明の石炭・バイオマス混合燃料収集・販売システムが、少なくとも一つ以上の燃料利用者端末から石炭・バイオマス混合燃料購入計画情報を受付け、前記の購入計画情報登録手段によって、情報取得部で取得した石炭・バイオマス混合燃料購入計画情報を登録する処理が行われる。
【００２４】
次に、前記の在庫確認手段によって、当該受け付けた石炭・バイオマス混合燃料購入計画情報に含まれている購入希望バイオマスの種類、購入希望量、購入希望時期と、現在の在庫データとを比較し、在庫量が不足する場合に、必要なバイオマスの種類と、必要な量及び、必要な時期を導き出す処理が行われる。
【００２５】
次いで、購入予定情報出力手段によって、前記導き出された必要なバイオマスの種類と、必要な量及び、必要な時期を、購入予定バイオマスの種類と、その購入予定量及び購入予定時期に関する購入予定情報として出力すると共に、当該購入予定情報に応じる販売予定価格を含む販売申し込み情報の入力を促す処理が行われる。
【００２６】
そして、購入予定情報に応じる販売予定価格を含む少なくとも一つ以上の販売申し込み情報を受付け、販売申し込み情報登録手段によって、情報取得部で取得した前記購入予定情報に応じる販売予定価格を含む販売申し込み情報を登録する処理を行い、販売予定各価格比較手段によって、前記で登録された複数の販売予定価格を比較する処理を行って、当該受け付けた少なくとも一つ以上の販売申し込み情報に含まれている販売予定価格を比較して最も低い販売予定価格を検索するようにしたのである。
【００２７】
これにより、石炭・バイオマス混合燃料を使用することを希望し、ネットワークを介して燃料収集・販売会社の下に配備されているコンピュータからなる本発明の石炭・バイオマス混合燃料収集・販売システムにアクセスした燃料利用会社は、購入希望バイオマスの種類、購入希望量、購入希望時期に関する情報が含まれている石炭・バイオマス混合燃料購入計画情報を送ることにより、所望の石炭・バイオマス混合燃料を購入することが可能になるので、自社の発電所に間伐材などのバイオマスを粉砕する設備や、バイオマスと石炭とをブレンドする設備などを設ける必要がなくなる。
【００２８】
一方、本発明の石炭・バイオマス混合燃料収集・販売システムを備えている燃料収集・販売会社は、例えば、ネットワークを介して燃料利用会社から購入希望バイオマスの種類、購入希望量、購入希望時期に関する情報が含まれている石炭・バイオマス混合燃料購入計画情報を受け取り、購入希望バイオマスの種類、購入希望量、購入希望時期と、現在の在庫データとを比較し、在庫量が不足する場合に、必要なバイオマスの種類と、必要な量及び、必要な時期を、購入予定バイオマスの種類と、その購入予定量及び購入予定時期に関する購入予定情報としてバイオマス供給会社に知らせ、当該購入予定情報に応じる販売予定価格を含む販売申し込み情報を、バイオマス供給会社からネットワークを介して取得し、バイオマス供給会社から提供された販売予定価格を比較して、最も低い販売予定価格を検索し、最も低コストで、必要な種類のバイオマスを、必要な量、必要な時期に入手し、石炭供給会社から購入した石炭と、バイオマスとをブレンドして、前記燃料利用会社から受け付けた石炭・バイオマス混合燃料購入計画情報に沿った石炭・バイオマス混合燃料を準備して販売することが可能になる。
【００２９】
前記本発明の石炭・バイオマス混合燃料収集・販売システムにおいて、更に、石炭・バイオマス混合燃料におけるバイオマスの種類及び、石炭とバイオマスとの混合割合から、当該石炭・バイオマス混合燃料の燃焼カロリーを計算する燃焼カロリー算出手段を備えている構成にすることができる。
【００３０】
このようにすれば、前記本発明の石炭・バイオマス混合燃料収集・販売システムを備えている燃料収集・販売会社は、販売予定各価格比較手段検索したもっとも低い販売予定価格に係るバイオマスを購入し、これを石炭とブレンドして石炭・バイオマス混合を製造する際に、当該検索に基づいて購入したバイオマスの種類と、これを利用した石炭・バイオマス混合燃料における石炭とバイオマスとの混合割合から、当該石炭・バイオマス混合燃料の燃焼カロリーを計算することができるので、燃料利用会社に販売する石炭・バイオマス混合燃料の燃焼カロリーを情報として、当該石炭・バイオマス混合燃料に添付して燃料利用会社に販売することが可能になる。これによって、燃料利用会社は、購入した石炭・バイオマス混合燃料が、実際にその発電所のボイラーで燃焼させるのに適しているかどうかを確認するサンプリング試験を行う必要がなくなる。
【００３１】
また、前記本発明の石炭・バイオマス混合燃料収集・販売システムにおいて、更に、石炭・バイオマス混合燃料における石炭の種類、バイオマスの種類及び、石炭とバイオマスとの混合割合に関する情報から、当該石炭・バイオマス混合燃料の燃料スペック（例えば、燃焼カロリーと、ＲＰＳ電源として使用されている割合に関する情報）を作成する処理を行う燃料スペック情報作成手段を備えている構成にすることもできる。
【００３２】
このようにすれば、前記本発明の石炭・バイオマス混合燃料収集・販売システムを備えている燃料収集・販売会社は、販売予定各価格比較手段検索したもっとも低い販売予定価格に係るバイオマスを購入し、これを石炭とブレンドして石炭・バイオマス混合を製造する際に、当該検索に基づいて購入したバイオマスの種類と、これを利用した石炭・バイオマス混合燃料における石炭とバイオマスとの混合割合から、当該石炭・バイオマス混合燃料の燃料スペック（例えば、燃焼カロリーと、ＲＰＳ電源として使用されている割合に関する情報）を作成することができるので、燃料利用会社に販売する石炭・バイオマス混合燃料の燃焼カロリーや、ＲＰＳ電源として使用されている割合に関する情報などを情報として、当該石炭・バイオマス混合燃料に添付して燃料利用会社に販売することが可能になる。これによって、燃料利用会社は、購入した石炭・バイオマス混合燃料が、実際にその発電所のボイラーで燃焼させるのに適しているかどうかを確認するサンプリング試験を行う必要がなくなる。
【００３３】
以下、添付図面を参照して本発明の好ましい実施例を説明する。
【実施例】
【００３４】
本発明の石炭・バイオマス混合燃料収集・販売システム１はコンピュータから構成されるものであって、例えば、図２図示のように、情報取得部６ａ、情報出力部６ｂ、ＣＰＵからなる演算処理部９、ＲＯＭ７、ＲＡＭ８などを備え、更に、本発明の石炭・バイオマス混合燃料収集・販売システムが実行する種々の処理動作用のデータを格納するものとして、例えば、データベース１０が備えられている。
【００３５】
情報取得部６ａには、例えば、キーボードやポインティングディバイスなどの情報入力手段や、インターネット等のネットワークを介して他のコンピュータ等と相互に交信する際のインターフェース部が含まれる。
【００３６】
また、情報出力部６ｂには、液晶画面等の表示手段や、インターネット等のネットワークを介して他のコンピュータ等と相互に交信する際のインターフェース部が含まれる。
【００３７】
データベース１０には、取引情報データベース１００、在庫情報データベース１０１、燃料スペックデータベース１０２などが備えられている。
【００３８】
取引情報データベース１００には、図４図示のように、本発明の石炭・バイオマス混合燃料収集・販売システムを提供する燃料収集・販売会社が取り引きする複数の燃料利用会社３ａ、３ｂ、３ｃから受け取った購入希望バイオマスの種類、購入希望量、購入希望時期などを含む石炭・バイオマス混合燃料購入計画情報や、当該購入計画情報に従って納品した石炭・バイオマス混合燃料のスペックなどに関する情報が格納されている。また、図５図示のように、本発明の石炭・バイオマス混合燃料収集・販売システムを提供する燃料収集・販売会社が、バイオマス供給会社５ａ、５ｂ、５ｃなどを対象として公表した購入予定情報（購入予定バイオマスの種類と、その購入予定量及び購入予定時期に関する情報を含む）や、当該購入予定情報に応じて、バイオマス供給会社５ａ、５ｂ、５ｃから提供された販売申し込み情報（前記の購入予定情報に応じる販売予定価格に関する情報を含む）が格納されている。更に、図６図示のように、前記の販売予定価格を比較することにより行った入札に関する情報が格納されている。
【００３９】
在庫情報データベース１０１には、図７図示のように、在庫状況を把握した時点における石炭、バイオマスの在庫量に関する情報が加工のされている。
【００４０】
燃料スペックデータベース１０２には、図８図示のように、石炭の種類、バイオマスの種類、それらをブレンドしたときのブレンド割合に応じた発熱量（燃焼カロリー）、ＲＰＳ電源として使用される割合に関する情報が格納されている。
【００４１】
演算処理部９は、コンピュータプログラムの指示により、以下のような処理動作を行う購入計画情報登録処理部９０、在庫量確認処理部９１、購入予定情報出力処理部９２、販売申し込み情報登録処理部９３、販売予定各価格比較処理部９４、燃焼カロリー算出処理部９５、燃料スペック情報作成処理部９６として機能する。
【００４２】
購入計画情報登録処理部９０は、情報取得部６ａで取得した石炭・バイオマス混合燃料購入計画情報を取引情報データベース１００登録する処理を行う。この登録は、購入計画情報を受け付ける毎に受付整理番号を付与し、当該受付整理番号に関連づけて購入申込希望者（燃料利用会社）、購入申込日、購入希望スペック（石炭の種類や、バイオマスの種類、ブレンド割合など）、購入希望量、購入希望時期などの石炭・バイオマス混合燃料購入計画情報を管理するものとすることもできるし、購入申込希望者（燃料利用会社）ごとに特定のＩＤコードなどを付与しておいて、購入申込希望者（燃料利用会社）ごとに前記の石炭・バイオマス混合燃料購入計画情報を管理するようにもできる。
【００４３】
在庫量確認処理部９１は、図７図示のような在庫情報データベース１０１の情報を参照して、前記の石炭・バイオマス混合燃料購入計画情報に含まれている購入希望バイオマスの種類、購入希望量、購入希望時期と、現在の在庫データとを比較し、在庫量が不足する場合に、必要なバイオマスの種類と、必要な量及び、必要な時期を導き出す処理を行う。
【００４４】
こうして導き出された必要なバイオマスの種類と、必要な量及び、必要な時期は、例えば、購入予定情報（「必要なバイオマスの種類」を「購入予定バイオマスの種類」、「必要な量」を「購入予定バイオマスの量」、「必要な時期」を「購入予定時期」にそれぞれ対応させ、図５図示のように、取引情報データベース１００に格納される。
【００４５】
購入予定情報出力処理部９２は、前記のように取引情報データベース１００に格納されている購入予定情報を情報出力部６ｂから出力し、当該購入予定情報に応じる販売予定価格を含む販売申し込み情報の入力を促す処理を行う。
【００４６】
販売申し込み情報登録処理部９３は、情報取得部６ａで取得した前記購入予定情報に応じる販売予定価格を含む販売申し込み情報を取引情報データベース１００に、例えば、図５図示のように、登録する処理を行う。
【００４７】
販売予定各価格比較処理部９４は、前記で登録された複数の販売予定価格を比較する処理を行う。この比較処理の結果は、例えば、図６図示のように、取引情報データベース１００に格納される。
【００４８】
燃焼カロリー算出処理部９５は、図８図示のような燃料スペックデータベース１０２を参照して、更に、石炭・バイオマス混合燃料におけるバイオマスの種類及び、石炭とバイオマスとの混合割合から、当該石炭・バイオマス混合燃料の燃焼カロリーを計算する処理を行う。
【００４９】
燃料スペック情報作成処理部９６は、キーボード等からなる情報取得部６ａを介して取得した石炭・バイオマス混合燃料における石炭の種類、バイオマスの種類及び、石炭とバイオマスとの混合割合に関する情報から、図８図示のような燃料スペックデータベース１０２を参照して、当該石炭・バイオマス混合燃料の燃料スペック（例えば、燃焼カロリーと、ＲＰＳ電源として使用されている割合に関する情報）を作成する処理を行う。
【００５０】
以下、前述した構成からなる本発明の石炭・バイオマス混合燃料収集・販売システムを利用して行われる本発明の石炭・バイオマス混合燃料収集・販売方法について説明する。
【００５１】
コンピュータからなる本発明の石炭・バイオマス混合燃料収集・販売システム１は、例えば、図１図示のように、木質バイオマスと石炭とを燃料利用者が要求する条件（木質バイオマスの種類、石炭と木質バイオマスとの混合割合、燃焼カロリーなど）に応じてブレンドした石炭・木質バイオマス混合燃料を販売する燃料収集・販売会社の下に配備されている。そして、この石炭・バイオマス混合燃料収集・販売システム１（図１における「管理サーバ」）が、石炭供給会社４に備えられているコンピュータ、火力発電所などを有する複数の燃料利用会社３ａ、３ｂ、３ｃに備えられているコンピュータ、複数のバイオマス石炭供給会社５ａ、５ｂ、５ｃに備えられているコンピュータとインターネット等のネットワーク２を介して相互に交信可能に接続される。
【００５２】
火力発電所などを有する燃料利用会社３ａ等がネットワーク２を介して石炭・バイオマス混合燃料収集・販売システム１にアクセスし、石炭の種類や、バイオマスの種類、ブレンド割合などの購入希望スペックに関する情報や、購入希望量、購入希望時期などに関する石炭・バイオマス混合燃料購入計画情報を入力する。
【００５３】
こうして石炭・バイオマス混合燃料収集・販売システム１が受け付けた（図３のステップ３０１）石炭・バイオマス混合燃料購入計画情報は、購入計画情報登録処理部９０が行う処理動作により、例えば、図４図示のような情報として取引情報データベース１００に登録される。
【００５４】
次いで、在庫量確認処理部９１により、図７に例示される在庫情報データベース１０１の情報を参照して、前記の石炭・バイオマス混合燃料購入計画情報に含まれている購入希望バイオマスの種類、購入希望量、購入希望時期と、現在の在庫データとを比較し、在庫量が不足する場合に、必要なバイオマスの種類と、必要な量及び、必要な時期を導き出す処理が行われる（図３のステップ３０２）。
【００５５】
この際、在庫量に不足が無く、石炭・バイオマス混合燃料購入計画情報に含まれている購入希望時期に、購入希望の種類の石炭及びバイオマスを、購入希望のブレンド割合で納品することが可能な場合には、在庫の石炭、バイオマスを石炭・バイオマス混合燃料購入計画情報に従って、ブレンドし、購入希望時期に、石炭・バイオマス混合燃料購入計画情報を送信してきた燃料利用会社３ａ等に石炭・バイオマス混合燃料を納品（販売）する。
【００５６】
この際、キーボード等からなる情報取得部６ａを介して、当該納品する石炭・バイオマス混合燃料における石炭の種類、バイオマスの種類及び、石炭とバイオマスとの混合割合に関する情報を入力し、燃料スペック情報作成処理部９６が行う処理動作によって燃料スペック（例えば、燃焼カロリーと、ＲＰＳ電源として使用されている割合に関する情報）を作成し（図３のステップ３０７）し、石炭・バイオマス混合燃料を納品（販売）する（図３のステップ３０８）。
【００５７】
一方、前記のように、石炭・バイオマス混合燃料購入計画情報に含まれている購入希望バイオマスの種類、購入希望量、購入希望時期と、現在の在庫データとを比較して、在庫量が不足する場合には、購入予定情報出力処理部９２が、在庫量確認処理部９１により導き出された「必要なバイオマスの種類」、「必要な量」、「必要な時期」にそれぞれ対応する「購入予定バイオマスの種類」、「購入予定バイオマスの量」、「購入予定時期」に関する情報からなる購入予定情報出力し、当該購入予定情報に応じる販売予定価格を含む販売申し込み情報の入力を促す（図３のステップ３０３）。
【００５８】
例えば、取引情報データベース１００に予め登録されているバイオマス供給会社５ａ、５ｂ、５ｃ等の端末に、情報出力部６ｂからネットワーク２を介して前記の購入予定情報出力して当該購入予定情報に応じる販売予定価格を含む販売申し込み情報の入力を促すようにする。
【００５９】
あるいは、自己のコンピュータからネットワーク２を介して石炭・バイオマス混合燃料収集・販売システム１にアクセスしてきたバイオマス供給会社５ａ、５ｂ、５ｃ等に対して、前記の購入予定情報出力し、当該購入予定情報に応じる販売予定価格を含む販売申し込み情報の入力を促す。
【００６０】
これに対して、バイオマス供給会社５ａ、５ｂ、５ｃ等が自己のコンピュータからネットワーク２を介して石炭・バイオマス混合燃料収集・販売システム１に、前記の購入予定情報に応じる販売予定価格を含む販売申し込み情報を入力する。
【００６１】
こうして石炭・バイオマス混合燃料収集・販売システム１が販売申し込み情報を受け付けると（図３のステップ３０４）、販売申し込み情報登録処理部９３が、当該受け付けた前記購入予定情報に応じる販売予定価格を含む販売申し込み情報を取引情報データベース１００に、例えば、図５図示のように登録する。
【００６２】
次いで、販売予定各価格比較処理部９４が前記の販売予定価格を比較することにより、購入先が決定される（図３のステップ３０５）。すなわち、販売予定各価格比較処理部９４が、例えば、図５図示のように取引情報データベース１００に登録された複数の販売予定価格を比較する処理を行う。この処理の結果、最も販売予定価格が低いバイオマス供給会社がバイオマス購入先に決定され、前記の比較処理の結果が、例えば、図６図示のように、取引情報データベース１００に格納される。
【００６３】
こうして決定されたバイオマス購入先のバイオマス供給会社からバイオマスを購入し（図３のステップ３０６）、石炭とバイオマスとを、石炭・バイオマス混合燃料購入計画情報に従って、ブレンドし、購入希望時期に、石炭・バイオマス混合燃料購入計画情報を送信してきた燃料利用会社３ａ等に石炭・バイオマス混合燃料を納品する。
【００６４】
この際、前記のように、キーボード等からなる情報取得部６ａを介して、当該納品する石炭・バイオマス混合燃料における石炭の種類、バイオマスの種類及び、石炭とバイオマスとの混合割合に関する情報を入力し、燃料スペック情報作成処理部９６が行う処理動作によって燃料スペック（例えば、燃焼カロリーと、ＲＰＳ電源として使用されている割合に関する情報）を作成し（図３のステップ３０７）し、石炭・バイオマス混合燃料を納品（販売）する（図３のステップ３０８）。
【００６５】
以上説明した本発明の方法では、ステップ３０７のプロセスで燃料スペック情報作成処理部９６により燃料スペックを作成し、これを販売（納品）する石炭・バイオマス混合燃料に添付していたが、これに替えて、燃焼カロリー算出処理部９５により、図８図示のような燃料スペックデータベース１０２を参照して、石炭・バイオマス混合燃料におけるバイオマスの種類及び、石炭とバイオマスとの混合割合から、当該石炭・バイオマス混合燃料の燃焼カロリーを計算し、これを燃料スペック情報として販売（納品）する石炭・バイオマス混合燃料に添付することもできる。
【００６６】
以上、本発明の好ましい実施形態、実施例を添付図面を参照して説明したが、本発明はかかる実施例、実施形態に限定されるものではなく、特許請求の範囲の記載から把握される技術的範囲において種々の形態に変更可能である。
【図面の簡単な説明】
【００６７】
【図１】本発明の石炭・バイオマス混合燃料収集・販売システムを利用して本発明の方法が実施される際のシステム構成概要を説明する図。
【図２】本発明の石炭・バイオマス混合燃料収集・販売システムの構成概略図。
【図３】本発明の石炭・バイオマス混合燃料収集・販売方法一例を説明するフロー図。
【図４】取引情報データベースに格納されている情報の一部の例を説明する図。
【図５】取引情報データベースに格納されている情報の一部の他の例を説明する図。
【図６】取引情報データベースに格納されている情報の一部の更に他の例を説明する図。
【図７】在庫情報データベースに格納されている情報の一部の例を説明する図。
【図８】燃料スペックデータベースに格納されている情報の一部の例を説明する図。
【符号の説明】
【００６８】
１  石炭・バイオマス混合燃料収集・販売システム
２  ネットワーク
３ａ、３ｂ、３ｃ  燃料利用会社
４  石炭供給会社
５ａ、５ｂ、５ｃ  バイオマス供給会社
６ａ  情報取得部
６ｂ  情報出力部
７  ＲＯＭ
８  ＲＡＭ
９  演算処理部
９０  購入計画情報登録処理部
９１  在庫量確認処理部
９２  購入予定情報出力処理部
９３  販売申し込み情報登録処理部
９４  販売予定各価格比較処理部
９５  燃焼カロリー算出処理部
９６  燃料スペック情報作成処理部
１０  データベース
１００  取引情報データベース
１０１  在庫情報データベース
１０２  燃料スペックデータベース
【図１】
2007058440.tif 000003
【図２】
2007058440.tif 000004
【図３】
2007058440.tif 000005
【図４】
2007058440.tif 000006
【図５】
2007058440.tif 000007
【図６】
2007058440.tif 000008
【図７】
2007058440.tif 000009
【図８】
2007058440.tif 000010